(57)【特許請求の範囲】
【請求項１】
画像を読み取る画像読取機構と、画像読取機構で読み取った画像の色濃度を入力手段を介してマニュアル補正する画像マニュアル補正機能とを備えた写真処理装置において、
基準者の基準画像による基準者色濃度補正データを作成するための基準者色濃度補正データ作成機能と、
各作業者の基準画像による作業者別色濃度補正データを作成するための作業者別色濃度補正データ作成機能と、
これら基準者色濃度補正データ作成機能及び作業者別色濃度補正データ作成機能で作成した基準者色濃度補正データ及び各作業者の作業者別色濃度補正データを登録する補正データ登録機能と、
作業を行う作業者の作業者別色濃度補正データと基準者色濃度補正データとを比較して、両者の補正値の差を算出する補正値差算出機能とを備え、
画像マニュアル補正機能による色濃度補正時、補正値差算出機能で算出された補正値の差を、作業者が行う色濃度補正の値に自動的に加算するようにしていることを特徴とする写真処理装置。
【発明の詳細な説明】
【０００１】
【発明の属する技術分野】
本発明は、主としてフィルムの画像を印画紙にプリントする写真処理装置に関する。
【０００２】
【従来の技術】
一般にこの種の写真処理装置は、装置本体に、主として現像済フィルムの画像を読み取る画像読取機構としてのスキャナーと、このスキャナーで読み取った画像の色濃度を自動的に補正する画像自動補正機能と、同じくスキャナーで読み取った画像の色濃度を入力装置を介して作業者がマニュアル補正する画像マニュアル補正機能と、画像を印画紙にプリントするプリント処理機構とを備えて成り、フィルムの画像を画像読取装置で読み取ると共に、読み取ったフィルムの各コマの画像の色調や濃度を画像自動補正機能及び画像マニュアル補正機能により任意補正した後、プリント処理機構によりプリントを仕上げるプリント処理運転を行うようにしている。
【０００３】
【発明が解決しようとする課題】
ところで、画像の色調や濃度は、作業者の感性や好みによって依存されることが多く、そのため、プリント処理を行う作業者が複数人である場合には、前述の写真処理装置により仕上げられるプリントの品質が、作業者によって異なり、従って、店としてのプリント品質を一定に保つことが困難であるという問題がある。
【０００４】
本発明は以上の実情に鑑みて開発したものであって、目的とするところは、プリント処理を行う作業者が替わっても、個人差のない安定した品質のプリントが得られる写真処理装置を提供するにある。
【０００５】
【課題を解決するための手段】
以上の目的を達成するために本発明は、画像を読み取る画像読取機構と、画像読取機構で読み取った画像の色濃度を入力手段を介してマニュアル補正する画像マニュアル補正機能とを備えた写真処理装置において、基準者の基準画像による基準者色濃度補正データを作成するための基準者色濃度補正データ作成機能と、各作業者の基準画像による作業者別色濃度補正データを作成するための作業者別色濃度補正データ作成機能と、これら基準者色濃度補正データ作成機能及び作業者別色濃度補正データ作成機能で作成した基準者色濃度補正データ及び各作業者の作業者別色濃度補正データを登録する補正データ登録機能と、作業を行う作業者の作業者別色濃度補正データと基準者色濃度補正データとを比較して、両者の補正値の差を算出する補正値差算出機能とを備え、画像マニュアル補正機能による色濃度補正時、補正値差算出機能で算出された補正値の差を、作業者が行う色濃度補正の値に自動的に加算するようにしたのである。
【０００６】
尚、画像の色濃度とは、画像の色調と濃度を示す。
【０００７】
【発明の実施の形態】
以下、本発明にかかる写真処理装置の実施形態を図面に基づいて説明する。
【０００８】
図１及び図２は、本発明を適用する写真処理装置を概略的に示したものであって、この写真処理装置は、基本的には、装置本体１に、
現像済フィルムＦの各コマの画像を読み取る画像読取機構としてのスキャナー２と、
スキャナー２で読み取った画像をカラーモニター画面３０に表示する表示装置３と、
同じくスキャナー２で読み取った画像を印画紙Ｐにプリントするプリント処理機構４と、
これら各構成部材２・３・４を制御するための制御装置５と、
この制御装置５に各種情報等を入力するための入力手段としてのキーボード６とを搭載している。
【０００９】
制御装置５はマイクロコンピュータを搭載して成り、このマイクロコンピュータのプログラム上には、
スキャナー２で読み取った画像を表示装置３のカラーモニター画面３０にポジ画像で表示する画像表示機能５１と、
スキャナー３で読み取った現像済フィルムＦの画像の色濃度を予め設定された所定の手順で自動的に補正する画像自動補正機能５２と、
画像自動補正機能５２で補正した画像の色濃度をキーボード６の操作によりマニュアル補正可能とする画像マニュアル補正機能５３とを構築して成り、
スキャナー２で読み取ったフィルムＦの画像の色調及び濃度を、画像自動補正機能５１及び画像マニュアル補正機能５３で任意補正した後、その画像をプリント処理機構４で印画紙Ｐにプリントするようにしている。
【００１０】
キーボード６は、図２に概略的に示すように、ＭＥＮＵキー６ａ、ＳＨＩＦＴキー６ｂ、ＰＡＳＳキー６ｃ、ＳＴＡＲＴキー６ｄ、ＳＴＯＰキー６ｅ、イエロー補正キー６ｆ、マゼンタ補正キー６ｇ、シアン補正キー６ｈ、補正値を増減するための複数の数値入力キー６ｉ等を備え、スキャナー２で読み取った画像の色補正をオペレータが行うときには、各色の補正キー６ｆ・６ｇ・６ｈと数値入力キー６ｉ等を操作することで、制御装置５の画像マニュアル補正機能５３に所定の補正指示を行うようにしている。
【００１１】
プリント処理機構４は、スキャナー２で読み取ったフィルムＦの各コマの画像を印画紙Ｐに焼き付けるためのデジタル式の露光装置４ａと、露光装置４ａで露光済の印画紙Ｐを現像処理するための現像処理装置４ｂとから構成され、露光装置４ａにより、スキャナー２で読み取った各画像のデータを制御装置５で処理して、この制御装置５の制御により、処理された画像を露光装置４ａにて印画紙Ｐに焼き付けた後、この印画紙Ｐを現像処理装置４ｂで現像して、プリントを仕上げるようにしている。
【００１２】
尚、デジタル露光の方式としては、ＰＬＺＴシャッター方式や蛍光ビーム方式、液晶シャッター方式等が知られており、装置の仕様に応じて任意の方式を選択することが出来る。
【００１３】
以上の構成からなる写真処理装置において、図に示す実施形態では、制御装置５のマイクロコンピュータのプログラム上に、
基準者の基準画像による基準者色濃度補正データを作成するための基準者色濃度補正データ作成機能５４と、
プリント処理を行う各作業者の基準画像による作業者別色濃度補正データを作成するための作業者別色濃度補正データ作成機能５５と、
これら基準者色濃度補正データ作成機能５４及び作業者別色濃度補正データ作成機能５５で作成した基準者の基準画像による基準者色濃度補正データ及び各作業者の基準画像による作業者別色濃度補正データを登録する補正データ登録機能５６と、
作業を行う作業者の作業者別色濃度補正データと基準者色濃度補正データとを比較して、両者の補正値の差を算出するための補正値差算出機能５７とを更に構築している。
【００１４】
そして、基準者色濃度補正データ作成機能５４及び作業者別色濃度補正データ作成機能５５により、基準者及びプリント処理を行う各作業者が、それぞれ基準画像を備えたフィルムを用いて基準者色濃度補正データ及び各作業者色濃度補正データを作成して、これら各補正データを補正データ登録機能５５に登録しておき、各作業者が画像マニュアル補正機能５３により色濃度補正を行ってプリント処理機構４でプリントを仕上げる際、補正値差算出機能５７で算出された補正値の差を、作業者が行った色濃度補正の値に自動的に加算するようにしている。
【００１５】
尚、基準者色濃度補正データを作成する基準者としては、写真処理装置を設置する店舗のオーナーとするのが好ましい。
【００１６】
次に以上の構成から成る写真処理装置によりプリントを仕上げる例をフローチャートに従って説明する。
【００１７】
先ず基準者色濃度補正データ作成機能５４及び作業者別色濃度補正データ作成機能５５により、基準者並びにプリント処理を行う各作業者が、それぞれ基準画像を備えたフィルムを用いて、基準者色濃度補正データ及び各作業者色濃度補正データを作成して、その補正データを補正値データ登録機能５６に登録しておくのである。
【００１８】
即ち、先ず、基準者となる店舗のオーナーにより、基準者色濃度補正データを作成するのであって、図３に示すフローチャートに示すように、先ずスキャナー２を介して基準フィルムの基準画像をスキャニング（ステップ１０１）する。
【００１９】
そしてキーボード６のイエロー補正キー６ｆ、マゼンタ補正キー６ｇ、シアン補正キー６ｈ、及び数値入力キー６ｉ等を操作して、スキャニングした画像の色濃度を任意補正（ステップ１０２）した後、プリント処理をおこなう（ステップ１０３）。
【００２０】
次に仕上がったプリントの品質確認をオーナー自信が行い（ステップ１０４）、品質基準をクリアしていない場合には、ステップ１０２に戻る一方、品質基準をクリアしていると判断した場合には、その基準者色濃度補正データを補正データ登録機能５６に登録（ステップ１０５）しておくのである。
【００２１】
また、各作業者毎にも、作業者別色濃度補正データを作成するのであって、図４に示すフローチャートに従って説明すると、まず作業者の氏名を入力（ステップ２００）した上で、スキャナー２を介して基準フィルムの基準画像をスキャニング（ステップ２０１）する。
【００２２】
そしてキーボード６のイエロー補正キー６ｆ、マゼンタ補正キー６ｇ、シアン補正キー６ｈ、及び数値入力キー６ｉ等を操作して、スキャニングした画像の色濃度を任意補正（ステップ２０２）した後、プリント処理を行う（ステップ２０３）。
【００２３】
次に仕上がったプリントの品質確認を各作業者自信が行い（ステップ２０４）、品質基準をクリアしていない場合には、ステップ２０２に戻る一方、品質基準をクリアしていると判断した場合には、その作業者別色濃度補正データを補正データ登録機能５６に登録（ステップ２０５）しておくのである。
【００２４】
次に以上の写真処理装置により、フィルムＦの画像を印画紙Ｐに焼き付けて現像処理する通常のプリント処理作業を行う場合を図５に示すフローチャートに従って説明する。
【００２５】
先ず、補正データ登録機能５６から、基準者色濃度補正データを呼び出す（ステップ３０１）と共に、作業を行う作業者の作業者別色濃度補正データを呼び出す（ステップ３０２）のであって、これに伴い、制御装置５の補正値差算出機能５７にて、作業を行う作業者の作業者別色濃度補正データと基準者色濃度補正データとを比較して、両者の補正値の差が算出される。
【００２６】
次にプリント処理するフィルムＦの画像をスキャナー２でスキャニングする（ステップ３０３）のであって、これに伴い、読み取られた画像が、まず画像自動補正機能４２により必要な補正が自動的に行われた後、その画像が表示装置３のカラーモニター画面３０に順次表示されるのであって、作業者は、表示装置３のカラーモニター画面３０に表示される画像の中から更に補正を必要とすると判断した時には、キーボード６のキー操作により、具体的には、キーボード７中のイエロー補正キー７ｆ、マゼンタ補正キー７ｇ、シアン補正キー７ｈ、色調または濃度の補正値を増減する複数の数値入力キー７ｉ等を任意操作することで、画像マニュアル補正機能５３を介してその画像の色濃度補正を行う（ステップ３０４）。
【００２７】
そして画像マニュアル補正機能５３による画像の色濃度補正が行われると、補正値算出機能５７で算出された補正値の差が、ステップ３０４で行われた画像の色濃度補正の値に加算（ステップ３０５）された後、この加算値に基づいて画像が印画紙にプリント処理（ステップ３０６）されるのである。
【００２８】
即ち、例えば、基準者となる店舗のオーナーが、基準者色濃度補正データの作成時において、例えばイエローの色調を補正する際に、数値入力キー６ｉ等により＋３の補正を行ったのに対して、作業者が基準者色濃度補正データの作成時において、例えばイエローの色調を補正する際に、数値入力キー６ｉ等により＋２の補正を行った場合において、通常のプリント処理に際して、作業者が行うイエローの色調の補正の補正値に、補正値算出機能５７にて算出された前記イエローの色調の補正値の差である＋１が自動的に加算され、この加算値に基づいて画像が印画紙Ｐにプリント処理されるのである。
【００２９】
斯くして以上の写真処理装置では、いずれの作業者が画像の色濃度の補正を行っても、基準者である店舗のオーナーが認める品質基準に合った色濃度でプリントを仕上げることが出来、各作業者の個人差とは関係なく、プリントの品質を一定に保つことが出来るのである。
【００３０】
以上の実施形態では、露光装置４ａとしてデジタル式のものを用いたが、これに限定されるものではなく、例えば、光源によりフィルム画像を直接印画紙に透過して露光するようにした所謂投影露光方式のものを用いてもよい。
【００３１】
【発明の効果】
以上のごとく本発明にかかる写真処理装置によれば、基準者の基準画像による基準者色濃度補正データを作成するための基準者色濃度補正データ作成機能と、各作業者の基準画像による作業者別色濃度補正データを作成するための作業者別色濃度補正データ作成機能と、これら基準者色濃度補正データ作成機能及び作業者別色濃度補正データ作成機能で作成した基準者色濃度補正データ及び各作業者の作業者別色濃度補正データを登録する補正データ登録機能と、作業を行う作業者の作業者別色濃度補正データと基準者色濃度補正データとを比較して、両者の補正値の差を算出する補正値差算出機能とを備え、画像マニュアル補正機能による色濃度補正時、補正値差算出機能で算出された補正値の差を、作業者が行う色濃度補正の値に自動的に加算するようにしたことにより、プリント処理を行う作業者が替わっても、個人差のない安定した品質のプリント、換言すれば、例えば店のオーナー等の基準者が認める品質基準をクリアしたプリントを常に得ることが出来、従って、例えば、店のオーナーは、各作業者に店としての品質基準を教育する必要もなくなるし、また各作業者は、店の品質基準を意識することなく自らの判断で色濃度補正を行うことが出来るに至ったのである。
【図面の簡単な説明】
【図１】  本発明にかかる写真処理装置の説明図。
【図２】  同、構成図。
【図３】  基準者色濃度補正の登録作業のフローチャート。
【図４】  作業者別色濃度補正の登録作業のフローチャート。
【図５】  プリント作業のフローチャート。
【符号の説明】
２      スキャナー（画像読取機構）
５      制御装置
５３    画像マニュアル補正機能
５４    基準者色濃度補正データ作成機能
５５    作業者別色濃度補正データ作成機能
５６    補正データ登録機能
５７    補正値差算出機能
【図１】
0003965849.tif 000002
【図２】
0003965849.tif 000003
【図３】
0003965849.tif 000004
【図４】
0003965849.tif 000005
【図５】
0003965849.tif 000006